(57)【要約】      （修正有）【課題】ネックハンギング用品のための補助具を提供する。【解決手段】ネックハンギング用品はストラップ２０を持つ。補助具２０４は、第１の端部２０４１と第２の端部２０４２とを含む。第１の端部２０４１は、ストラップ２０のコンタクト部２０３に結合される。第２の端部２０４２は、ユーザに背負われる物品に着脱自在に結合され、ストラップ２０により与えられるストレスが、ユーザのネックから背負われる物品に転換されるようにする。【選択図】図２Ａ
0003207032.tif 000002
【実用新案登録請求の範囲】
【請求項１】
ストラップを持つネックハンギング用品のための補助具であり、  ストラップに結合された第１の端部と、  ユーザに背負われる物品に着脱自在に結合される第２の端部と、を備え、前記ストラップにより与えられるストレスが、ユーザのネックから前記背負われる物品に転換されるようにする、補助具。
【請求項２】
前記背負われる物品はハングリングまたはハンドルを持ち、前記補助具の第２の端部は前記ハングリングまたはハンドルに着脱自在に結合される請求項１に記載の補助具。
【請求項３】
前記補助具の第１の端部は第１のカラーを持ち、前記第１のカラーがストラップのコンタクト部に可動に結合される請求項１に記載の補助具。
【請求項４】
前記補助具の第１の端部は第１のカラーを構成している少なくとも一つの可動のスナップファスナーを持つ請求項３に記載の補助具。
【請求項５】
前記補助具の第１の端部は、縫い合わせ、接着、またはスナップフィットにより、ストラップに固定されるか、または、前記補助具の第１の端部はストラップに一体に形成される請求項１に記載の補助具。
【請求項６】
前記補助具の第２の端部は第２のカラーを持ち、前記第２のカラーは１つ又はそれ以上の可動のスナップファスナーにより構成されている請求項１に記載の補助具。
【請求項７】
前記補助具の第２の端部はフックを持ち、前記フックは前記背負われる物品のハングリングまたはハンドルを通して貫通され、または前記フックは前記背負われる物品のハングリングまたはハンドルの貫通孔を通じて貫通される請求項１に記載の補助具。
【請求項８】
前記補助具の第２の端部は、バックルエレメントまたは前記背負われる物品の可動のスナップファスナーに結合されるクリップ構造を持っている請求項１に記載の補助具。
【請求項９】
前記補助具の第２の端部はクリップ構造を持ち、前記クリップ構造は、前記背負われる物品のハングリングまたはハンドルに結合される請求項１に記載の補助具。
【請求項１０】
ネックストラップ構造であり、  ストラップの２つの端部がネックハンギング用品に固定されるところの、コンタクト部を持つストラップと、  補助具と、を備え、  前記補助具の第１の端部は、前記ストラップのコンタクト部に結合され、前記補助具の第２の端部は、ユーザに背負われる物品に結合され、前記ストラップにより与えられるストレスが、ユーザのネックから前記背負われる物品に転換されるようにする、ネックストラップ構造。
【請求項１１】
前記補助具の第１の端部は、縫い合わせ、接着、またはスナップフィットにより、前記ストラップに固定されるか、または、前記補助具の第１の端部は前記ストラップに一体に形成される、請求項１０に記載のネックストラップ構造。
【考案の詳細な説明】
【技術分野】
【０００１】  本考案は、ネックストラップ構造及びその補助具に関し、特に、カメラ及びその補助用品を運ぶためのネックストラップ構造に関する。
【背景技術】
【０００２】  本出願は、２０１５年８月４日出願された米国特許出願Ｎｏ．６２／２００，８６０の仮出願の優先権を主張するものであり、その全部が本明細書に組み込まれ参照される。【０００３】  図１は従来のカメラストラップの用法を図式的に示す。図１に示されるように、カメラボディ１０がストラップ１１を通してユーザのネック(首)回りにぶら下げられる。しかし、ストラップ１１の使用は未だいくつかの欠点を持っている。例えば、単一レンズレフ型カメラのメインボディとレンズモジュールは、２キログラムの重量を持っている。長い間、単一レンズレフ型カメラがユーザのネック回りにぶら下げられるならば、単一レンズレフ型カメラはユーザの重い荷になり、ユーザは通常、心地悪いと感じている。【０００４】  従って、上記の欠点を解消するために、斬新なネックストラップ構造を提供するニーズがある。
【考案の概要】
【考案が解決しようとする課題】
【０００５】  本考案は、ネックにぶら下げている物品を運ぶことの不快感を緩和するための補助具とネックストラップ構造を提供する。
【課題を解決するための手段】
【０００６】  本考案のアスペクトによれば、ストラップでネックにぶら下げている物品のための補助具が提供される。補助具は、第１の端部及び第２の端部を含む。第１の端部は、ストラップに結合される。第２の端部は、ユーザにより背負われる物品に着脱自在に結合される。それにより、ストラップにより与えられるストレスが、ユーザのネックから、背負われる物品に転換される。【０００７】  実施例において、背負われる物品は、ハングリングまたはハンドルを持っている。そこにおいて、補助具の第２の端部は、ハングリングまたはハンドルに着脱自在に結合される。【０００８】  実施例において、補助具の第１の端部は、第１のカラーを持ち、第１のカラーはストラップのコンタクト部に可動に結合される。【０００９】  実施例において、補助具の第１の端部は、第１のカラーを構成している、少なくとも１つ又はそれ以上の可動のスナップファスナーを持つ。【００１０】  実施例において、補助具の第１の端部は、縫い合わせ、接着、またはスナップ嵌めにより、ストラップに取り付けられるか、または、補助具の第１の端部は、ストラップで一体に形成される。【００１１】  実施例において、補助具の第２の端部は、第２のカラーを持っている。それは１つ又はそれ以上の可動のスナップファスナーにより構成されている。【００１２】  実施例において、補助具の第２の端部は、フックを持っている。そこで、フックは、背負われる物品のハングリングまたはハンドルを通して貫通されるか、または、フックは、背負われる物品のハングリングまたはハンドルの貫通孔を通じて貫通される。【００１３】  実施例において、補助具の第２の端部は、バックルエレメントまたは背負われる物品の可動のスナップファスナーに結合されるクリップ構造を持っている。【００１４】  実施例において、補助具の第２の端部は、クリップ構造を持ち、クリップ構造は、背負われる物品のハングリングまたはハンドルに結合される。【００１５】  本考案の別のアスペクトによれば、ネックストラップ構造が提供される。ネックストラップ構造は、ストラップ及び補助具を含む。ストラップはコンタクト部を持っている。そこにおいて、ストラップの２つの端部が、ネックにぶら下げている物品に取り付けられる。補助具の第１の端部は、ストラップのコンタクト部に結合されて、補助具の第２の端部は、ユーザにより背負われる物品に結合される。その結果、ストラップにより与えられるストレスが、ユーザのネックから、背負われる物品に転換されるようになる。【００１６】  実施例において、補助具の第１の端部は、縫い合わせ、接着、またはスナップ嵌めにより、ストラップに取り付けられるか、または、補助具の第１の端部は、ストラップで一体に形成される。【００１７】  本考案の上記の目的と利点は、以下の詳細な説明と添付図面を参照することにより当業者に明白になるであろう。
【図面の簡単な説明】
【００１８】
【図１】は、従来のカメラストラップの用法を図式的に示す図である。
【００１９】
【図２Ａ】は、本考案によるカメラストラップのための補助具の構造及び外観を図式的に示す図である。
【００２０】
【図２Ｂ】は、補助具を通してカメラストラップと背負われる物品の間の接続を図式的に示す図である。
【００２１】
【図３】は、本考案の第１の実施例による、補助具を持つストラップ構造を図式的に示す図である。
【００２２】
【図４】は、本考案の第２の実施例による、補助具を持つストラップ構造を図式的に示す図である。
【００２３】
【図５】は、本考案の第３の実施例による、補助具を持つストラップ構造を図式的に示す図である。
【００２４】
【図６】は、本考案の４番目の実施例に従って補助具を持つストラップ構造を図式的に示す図である。
【００２５】
【図７Ａ】〜
【図７Ｃ】は、本考案による、補助具を持つストラップ構造のいくつかの他の例を図式的に示す図である。
【考案を実施するための形態】
【００２６】  本考案は、以下の実施例を参照してより詳細に説明される。本考案の好適な実施例の以下の説明は、図示と説明のためにだけ用意されている。それは、開示された詳細な形に排除し、又は制限されることを意図しない。
【００２７】  図２Ａは、従来の技術の欠点を克服するために、カメラストラップのための補助具の構造及び外観を図式的に示す。図２Ａに示すように、ストラップ２０の第１の端部２０１及び第２の端部２０２がカメラ２９に取り付けられる。固定構造は、当業者によく知られているので、ここでは冗長に説明しない。ネックに掛かる従来のストラップの抑圧を緩和するために、カメラストラップは補助具２０４をさらに装備される。補助具２０４は、ストラップ２０のコンタクト部２０３に置かれて、コンタクト部２０３はユーザのネックに接触される。補助具２０４の第１の端部２０４１は、ストラップ２０のコンタクト部２０３に結合される。補助具２０４の第２の端部２０４２は、可動の固定エレメントを持っている。可動の固定エレメントは、ユーザにより背負われる物品と結び付けられる。その結果、元来ユーザのネックに与えられるストレスは、背負われる物品に転換される。コンタクト部２０３の幅は、限定されない。図面に示されたコンタクト部２０３の幅は、ここに図示と説明の目的のために示される。
【００２８】  図２Ｂは、補助具を通してカメラストラップと背負われる物品の間の接続を図式的に説明する。例えば、背負われる物品は、両肩バックパック２８である。ユーザが両肩バックパック２８を身に着けている時には、補助具２０４の第２の端部２０４２の可動の固定エレメントが、両肩バックパック２８のハンドル２８０に結合される。もちろん、補助具２０４の第２の端部２０４２の可動の固定エレメントは、両肩バックパック２８の同様な一部（例えば、ハングリングまたはフック）に結合できる。その結果、元来ストラップ２０により及ぼされたストレスは、ユーザのネックから、両肩バックパック２８の２つの肩ストラップと、ストラップ２０とユーザの肩の間のコンタクトポイントに転換される。そのようにして、カメラストラップを運ぶことの不快感は効果的に緩和される。すなわち、本考案のストラップ構造は、従来のストラップに対して利点を持つ。本実施例において、背負った物品は両肩バックパック２８である。その他の実施例においては、背負った物品は、他のバックパックを含み、例えば、片肩バックパックを含む。
【００２９】  本考案は、補助具を持つストラップを提供する。以下、補助具を持つストラップのいくつかの例について詳細に説明する。
【００３０】  図３は、本考案の第１の実施例による、補助具を持つストラップ構造を図式的に例示する。図３に示すように、補助具３の第１の端部は、第１のカラー３０を持っている。第１のカラー３０の詳細な構造は、図７Ａに示すようなカラーを参照できる。第１のカラー３０は、ストラップ２０が通過することを可能にする。その結果、補助具３はストラップ２０の回りで被覆されて、ストラップ２０から取り外されずにストラップ２０に沿って滑らせることができる。さらに、補助具３が不使用状態にある場合には、補助具３は、ユーザが悪影響を受けない任意の位置に滑らせることができる。例えば、補助具３は、ストラップ２０とカメラ２９の間のジャンクション近くの位置に移動させることができる。補助具３の第２の端部は、第２のカラー３２を持っている。それは、１つ又はそれ以上の可動のスナップファスナー３１により構成されている。第２のカラー３２は、上記の可動な固定エレメントとして作用する。すなわち、第２のカラー３２は、両肩バックパック２８のハンドル２８０に結合される。その結果、元来ユーザのネックに与えられるストレスは、背負われる物品に転換される。オプションで、ポケットタイプ収納スペース３００は、第１のカラー３０に形成される。ポケットタイプ収納スペース３００は、メモリカードなどの小物品を収納するために使用される。さらに、保護するバックルエレメント３０１は、小物品がポケットタイプ収納スペース３００から意図的に落下することを防止するために、ポケットタイプ収納スペース３００の口部分にさらに設けられる。
【００３１】  図４は、本考案の第２の実施例による、補助具を持つストラップ構造を図式的に例示する。図４に示すように、補助具４の第１の端部はスライド可能であるのでなく、ストラップ２０に直接取り付けられる。例えば、補助具４の第１の端部は、縫い合わせ、接着、またはスナップ嵌めにより、ストラップ２０に直接取り付けられるか、または、補助具４の第１の端部は、ストラップ２０に一体に形成される。さらに図４に示すように、補助具４の第１の端部は、ストラップに１つ又はそれ以上の可動のスナップファスナー４０に取り付けられる。第２のカラー４２は、上記した可動の固定エレメントとして作用する。すなわち、第２のカラー４２は、両肩バックパック２８の２つのハンドル２８０に結合される。その結果、元々ユーザのネックに与えられるストレスは、背負った物品に転換される。
【００３２】  図５は、本考案の３番目の実施例による、補助具を持つストラップ構造を図式的に例示する。この実施例においては、可動の固定エレメントはフック５０または任意の他の適切なエレメントである。さらに、ハンドル（または、ハングリング）２８０は、フック５０と結合している構造を持っている。図５に示すように、ハンドル（または、ハングリング）２８０は、貫通孔２８９を持っている。フック５０が貫通孔２８９を通じて貫通された後に、補助具４の第２の端部は、ハンドル（または、ハングリング）２８０と結合される。
【００３３】  図６は、本考案の４番目の実施例による、補助具を持つストラップ構造を図式的に例示する。この実施例においては、ハンドル（または、ハングリング）２８０は可動のスナップファスナー２８８を持ち、補助具４の第２の端部は、バックルエレメント６０を持っている。可動のスナップファスナー２８８とバックルエレメント６０の間の結合のため、補助具４の第２の端部は、ハンドル（または、ハングリング）２８０と結合される。
【００３４】  図７Ａ〜７Ｃは、本考案に従って補助具を持つストラップ構造のいくつかの他の例を図式的に例示する。図７Ａに示すように、補助具７の第１の端部７１はカラーであり、それはストラップ２０の回りに結合され、被われる。補助具７の第２の端部７２は可動なカラーであり、それは、１つ又はそれ以上の可動なスナップファスナー７２０を通してハンドル（または、ハングリング）２８０に着脱自在に結合される。図７Ｂは、図７Ａと較べて、補助具７の第２の端部７２は、ハンドル（または、ハングリング）２８０のための湾曲したホック構造である。補助具７の第２の端部７２は、バックパック２８の重量により引っ張り下げられ、また、ストラップ２０もカメラの重量により引っ張り下げられるので、バックパック２８とカメラは、互いに容易に接続され、また容易に取り外される。図７Ｃの実施例においては、補助具７の第２の端部７２は、ハンドル（または、ハングリング）２８０を手早くかつ容易にクランプできるように、撓みやすいクリップ構造としている。
【００３５】  上記の説明から、本考案は補助具を提供する。補助具は、カメラや望遠鏡などのネックにぶら下げている物品に広く適用できる。本考案の補助具により、ネックにぶら下げている物品を運ぶことの不快感は効果的に緩和される。その結果、本考案の補助具は産業上適用可能である。
【００３６】  本考案は、最も実用的で好適な実施例であると考えられるものについて説明されており、考案が開示された実施例に限定される必要がないことは理解されよう。添付の請求項の範囲内に含まれる各種の変形や同様の構成をカバーすることを意図しており、そのようなすべての変形や同様の構成を包含するように最も広い解釈を許容すべきである。
【符号の説明】
【００３７】２０  ストラップ２０１  第１の端部２０２  第２の端部２０３  コンタクト部２０４  補助具２０４１  補助具の第１の端部２０４２  補助具の第２の端部２８  両肩バックパック２８０  両肩バックパックのハンドル２８８  スナップファスナー２８９  貫通孔３０  補助具の第１のカラー３１  スナップファスナー３２  補助具の第２のカラー３００  ポケットタイプ収納スペース３０１  バックルエレメント４  補助具４０  スナップファスナー４２  第２のカラー５０  フック６０  バックルエレメント７  補助具７１  補助具の第１の端部７２  補助具の第２の端部７２０  スナップファスナー
【図１】
0003207032.tif 000003
【図２Ａ】
0003207032.tif 000004
【図２Ｂ】
0003207032.tif 000005
【図３】
0003207032.tif 000006
【図４】
0003207032.tif 000007
【図５】
0003207032.tif 000008
【図６】
0003207032.tif 000009
【図７Ａ】
0003207032.tif 000010
【図７Ｂ】
0003207032.tif 000011
【図７Ｃ】
0003207032.tif 000012